(57)【特許請求の範囲】
【請求項１】
平衡伝送路に接続されると共に、入力平衡度を制御可能な複数の他の通信装置に対してデータ送信を行う通信装置であって、
送信出力を監視すると共に、前記監視結果から出力平衡度情報を作成する監視部と、
前記監視部が作成した前記出力平衡度情報と他の通信装置までの各平衡伝送路とを勘案し、各他の通信装置が受信信号の入力平衡度を改善可能な制御信号をそれぞれ作成し、各制御信号を各他の通信装置に送信する制御部と、
を備える通信装置。
【発明の詳細な説明】
【技術分野】
【０００１】
本発明は、１対または多対の導体からなる平衡伝送路を用いて信号の伝送を行う平衡伝送システム及びその関連技術に関するものである。
【背景技術】
【０００２】
電力伝達に使用される一対のメタリックケーブルに高周波信号を重畳し、データ伝送を行う電力線通信システムがある。たとえば、情報家電の急激な発展に伴い、一般の家庭内で複数のコンピュータを相互接続する時、あるいは、コンピュータと他の情報家電を接続する時、新たなケーブルを敷設することなく、既設の電力線を通信路として利用する電力線通信が、注目を浴びている。
【０００３】
このような１対のメタリックケーブルを使用してデータ伝送を行う場合、伝送路となる１対のメタリックケーブルの不平衡から生じるＥＭＣ（Ｅｌｅｃｔｒｏｍａｇｎｅｔｉｃ  Ｃｏｍｐａｔｉｂｉｌｉｔｙ）の問題がある。
【０００４】
図１０は、従来技術による平衡伝送システムの概略図である。図１０は、メタリックケーブルからなる線路３と線路４を介して、送信機１と受信機２とがデータ伝送を行っている。平衡伝送システムにおいては、本来、送信機１から受信機２まで完全に平衡であることが要求される。しかしながら、実際には送信回路部および受信回路部における不平衡要素や、線路途中における不平衡成分などがあり、完全に平衡であるとはいえない。
【０００５】
このような平衡伝送システムの不完全な平衡度に起因して、上述したＥＭＣ問題が発生する。
【０００６】
ＥＭＣ問題には、線路３と線路４からの漏洩電界が他の機器へ及ぼす影響と、他の機器から線路３と線路４へ混入するノイズが及ぼす当該平衡伝送システムへの影響がある。漏洩電界や混入ノイズに対して、例えば、線路４と大地間にある浮遊容量５や、線路３と大地間及び線路４と大地間にある漏洩抵抗６などが、不平衡要因として作用する。その結果、伝送路の平衡度が悪化し、線路３と線路４からの漏洩電界を増大させたり、あるいは、線路３と線路４とに混入したノイズをキャンセルできないといった問題が生じる。これらについては、非特許文献１に詳しく述べられている。
【０００７】
上記課題を解決するためには、平衡伝送システム全体を考慮した対策が必要であり、従来技術では、十分に対応できない。
【特許文献１】特開平９−６４８２６号公報
【非特許文献１】井手口健、外１名、「情報通信システムの電磁ノイズ問題と対応技術」、森北出版、ＰＰ．９９〜１３４、１９９７年１１月２５日
【発明の開示】
【発明が解決しようとする課題】
【０００８】
そこで本発明は、伝送路の不平衡によるＥＭＣ問題の影響を低減出来る、平衡伝送システム及びその関連技術を提供することを目的とする。
【課題を解決するための手段】
【０００９】
第１の発明に係る平衡伝送システムは、平衡伝送路を用いて信号の伝送を行う平衡伝送システムであって、平衡伝送路に接続された送信機と、平衡伝送路に接続された複数の受信機と、送信機と通信を行える管理装置とを備え、管理装置は、平衡伝送路のそれぞれの導体に注入される送信機の送信出力の平衡度に関する送信平衡度情報を基に、送信機が、平衡伝送路のそれぞれの導体に注入する送信出力を制御する。
【００１０】
この構成によれば、送信点における送信出力の平衡度を監視し、その送信平衡度情報を基に、送信機が、平衡伝送路のそれぞれの導体に注入する送信出力を制御し、伝送路の平衡度に依存せずに送信点における送信出力の平衡を保つことができるので、送信機側におけるＥＭＣ問題を低減できる。
【００１１】
第２の発明に係る平衡伝送システムは、平衡伝送路を用いて信号の伝送を行う平衡伝送システムであって、平衡伝送路に接続された送信機と、平衡伝送路に接続された複数の受信機と、送信機及び複数の受信機と通信を行える管理装置とを備え、管理装置は、平衡伝送路のそれぞれの導体に注入される送信機の送信出力の平衡度に関する送信平衡度情報を基に、複数の受信機が受信する受信信号の入力平衡度を制御する。
【００１２】
この構成によれば、送信点における送信出力の平衡度を監視し、その送信平衡度情報を基に、複数の受信機が受信する受信信号の入力平衡度を制御することによって、送信点において不平衡状態が発生しても、複数の受信機のそれぞれにおいて、入力信号の入力平衡度を改善することができる。
【００１３】
第３の発明に係る平衡伝送システムは、平衡伝送路を用いて信号の伝送を行う平衡伝送システムであって、平衡伝送路に接続された送信機と、平衡伝送路に接続された複数の受信機と、送信機及び複数の受信機と通信を行える管理装置とを備え、管理装置は、平衡伝送路のそれぞれの導体に注入される送信機の送信出力の平衡度に関する送信平衡度情報を基に、送信機が、平衡伝送路のそれぞれの導体に注入する送信出力と、複数の受信機が受信する受信信号の入力平衡度とを制御する。
【００１４】
この構成によれば、送信点における送信出力の平衡度を監視し、その送信平衡度情報を基に、送信機が平衡伝送路のそれぞれの導体に注入する送信出力を制御し、伝送路の平衡度に依存せずに送信点における送信出力の平衡を保つことができるので、送信機側におけるＥＭＣ問題を低減できる。同時に、送信平衡度情報を基に、複数の受信機が受信する受信信号の入力平衡度を制御することによって、送信点における不平衡状態を、複数の受信機において改善することができる。
【００１５】
第４の発明に係る平衡伝送システムは、平衡伝送路を用いて信号の伝送を行う平衡伝送システムであって、平衡伝送路に接続された送信機と、平衡伝送路に接続された複数の受信機と、送信機及び複数の受信機と通信を行える管理装置とを備え、管理装置は、複数の受信機が受信する受信信号の入力平衡度に関する受信平衡度情報を基に、送信機が、平衡伝送路のそれぞれの導体に注入する送信出力を制御する。
【００１６】
この構成によれば、複数の受信機が受信する受信信号の入力平衡度を監視し、その受信平衡度情報を基に、送信機が平衡伝送路のそれぞれの導体に注入する送信出力を制御することによって、送信機側におけるＥＭＣ問題を考慮しつつ、複数の受信機が受信する受信信号の入力平衡度を総合的に改善できる。
【００１７】
第５の発明に係る平衡伝送システムは、平衡伝送路を用いて信号の伝送を行う平衡伝送システムであって、平衡伝送路に接続された送信機と、平衡伝送路に接続された複数の受信機と、複数の受信機と通信を行える管理装置とを備え、管理装置は、複数の受信機が受信する受信信号の入力平衡度に関する受信平衡度情報を基に、複数の受信機が受信する受信信号の入力平衡度を制御する。
【００１８】
この構成によれば、複数の受信機が受信する受信信号の入力平衡度を監視し、その受信平衡度情報を基に、複数の受信機が受信する受信信号の入力平衡度を制御することによって、受信点における不平衡状態に応じ、受信点における平衡度を改善できる。
【００１９】
第６の発明に係る平衡伝送システムは、平衡伝送路を用いて信号の伝送を行う平衡伝送システムであって、平衡伝送路に接続された送信機と、平衡伝送路に接続された複数の受信機と、送信機及び複数の受信機と通信を行える管理装置とを備え、管理装置は、複数の受信機が受信する受信信号の入力平衡度に関する受信平衡度情報を基に、送信機が、平衡伝送路のそれぞれの導体に注入する送信出力と、複数の受信機が受信する受信信号の入力平衡度とを制御する。
【００２０】
この構成によれば、複数の受信機が受信する受信信号の入力平衡度を監視し、その受信平衡度情報を基に、送信機が平衡伝送路のそれぞれの導体に注入する送信出力を制御し、送信機側におけるＥＭＣ問題を考慮しつつ、複数の受信機が受信する受信信号の入力平衡度を総合的に改善できる。さらに、複数の受信機の各々における、受信平衡度情報を基に、各々の受信機が受信する受信信号の入力平衡度を制御することによって、さらにきめ細かい不平衡状態を改善することができる。
【００２１】
第７の発明に係る平衡伝送システムは、平衡伝送路を用いて信号の伝送を行う平衡伝送システムであって、平衡伝送路に接続された送信機と、平衡伝送路に接続された複数の受信機と、送信機及び複数の受信機と通信を行える管理装置とを備え、管理装置は、平衡伝送路のそれぞれの導体に注入される送信機の送信出力の平衡度に関する送信平衡度情報と、複数の受信機が受信する受信信号の入力平衡度に関する受信平衡度情報とを基に、送信機が、平衡伝送路のそれぞれの導体に注入する送信出力を制御する。
【００２２】
この構成によれば、送信点における送信出力の平衡度を監視して得た送信平衡度情報と、複数の受信機が受信する受信信号の入力平衡度を監視して得た受信平衡度情報とを基に、送信機が平衡伝送路のそれぞれの導体に注入する送信出力を制御することによって、送信機側におけるＥＭＣ問題を考慮しつつ、複数の受信機の各々が受信する受信信号の入力平衡度を改善することが出来る。
【００２３】
第８の発明に係る平衡伝送システムは、平衡伝送路を用いて信号の伝送を行う平衡伝送システムであって、平衡伝送路に接続された送信機と、平衡伝送路に接続された複数の受信機と、送信機及び複数の受信機と通信を行える管理装置とを備え、管理装置は、平衡伝送路のそれぞれの導体に注入される送信機の送信出力の平衡度に関する送信平衡度情報と、複数の受信機が受信する受信信号の入力平衡度に関する受信平衡度情報とを基に、複数の受信機が受信する受信信号の入力平衡度を制御する。
【００２４】
この構成によれば、送信点における送信出力の平衡度を監視して得た送信平衡度情報と、複数の受信機が受信する受信信号の入力平衡度を監視して得た受信平衡度情報とを基に、複数の受信機が受信する受信信号の入力平衡度を制御することによって、受信点における不平衡状態に応じ、受信点における平衡度を改善できる。
【００２５】
第９の発明に係る平衡伝送システムは、平衡伝送路を用いて信号の伝送を行う平衡伝送システムであって、平衡伝送路に接続された送信機と、平衡伝送路に接続された複数の受信機と、送信機及び複数の受信機と通信を行える管理装置とを備え、管理装置は、平衡伝送路のそれぞれの導体に注入される送信機の送信出力の平衡度に関する送信平衡度情報と、複数の受信機が受信する受信信号の入力平衡度に関する受信平衡度情報とを基に、送信機が、平衡伝送路のそれぞれの導体に注入する送信出力と、複数の受信機が受信する受信信号の入力平衡度とを制御する。
【００２６】
この構成によれば、送信点における送信出力の平衡度を監視して得た送信平衡度情報と、複数の受信機が受信する受信信号の入力平衡度を監視して得た受信平衡度情報とを基に、送信機が平衡伝送路のそれぞれの導体に注入する送信出力を制御し、送信機側におけるＥＭＣ問題を考慮しつつ、複数の受信機が受信する受信信号の入力平衡度を総合的に改善できる。さらに、複数の受信機の各々における、受信平衡度情報を基に、各々の受信機が受信する受信信号の入力平衡度を制御することによって、さらにきめ細かい不平衡状態を改善することができる。
【００２７】
第１０の発明に係る平衡伝送システムは、送信機は、平衡伝送路のそれぞれの導体に注入される送信機の送信出力の平衡度を監視する、送信監視部を有する。
【００２８】
この構成によれば、送信機側において、送信機の送信出力の平衡度を監視することが出来る。
【００２９】
第１１の発明に係る平衡伝送システムは、送信機は、管理装置から送られる制御情報を基に、平衡伝送路のそれぞれの導体に注入する送信出力を制御する、送信制御部を有する。
【００３０】
この構成によれば、送信機は、送信平衡情報あるいは受信平衡情報を基に、管理装置が作成し、送信してきた制御情報にしたがって、平衡伝送路のそれぞれの導体に注入する送信出力を制御することが出来る。
【００３１】
第１２の発明に係る平衡伝送システムは、複数の受信機の各々は、複数の受信機の各々が受信する受信信号の入力平衡度を監視する、受信監視部を有する。
【００３２】
この構成によれば、複数の受信機の各々は、それぞれの受信信号の入力平衡度を監視することが出来るので、入力平衡度のきめ細かい制御が可能となる。
【００３３】
第１３の発明に係る平衡伝送システムは、複数の受信機の各々は、管理装置から送られる制御情報を基に、複数の受信機の各々が受信する受信信号の入力平衡度を制御する受信制御部を有する。
【００３４】
この構成によれば、複数の受信機の各々は、送信平衡情報あるいは受信平衡情報を基に、管理装置が作成し、送信してきた制御情報にしたがって、それぞれの受信信号の入力平衡度を制御することが出来るので、入力平衡度のきめ細かい制御が可能となる。
【００３５】
第１４の発明に係る平衡伝送システムは、管理装置は、送信機と複数の受信機と受信機のうちの少なくとも一つと、平衡伝送路、有線ＬＡＮ、又は、無線ＬＡＮを用いて通信を行なう。
【００３６】
この構成によれば、管理装置は、送信機及び受信機との間で、平衡度に関する情報及び平衡度を制御するための制御情報の通信を常に行うことが出来る。特に、平衡伝送路を用いて通信を行う場合には、新たな通信路の開設は必要としないので、便利である。
【００３７】
第１５の発明に係る平衡伝送システムは、管理装置は、伝送される信号に用いられる周波数帯域の少なくとも一部の帯域の送信出力を制御する。
【００３８】
この構成によれば、伝送される信号に用いられる帯域の中で任意の帯域に対して送信出力を制御できるので、平衡度の悪い帯域を重点的に制御するフレキシビリティの高い送信制御ができる。特に、周波数軸上で多重化されているマルチキャリアの送信信号などにおいて有効である。
【００３９】
第１６の発明に係る平衡伝送システムは、管理装置は、伝送される信号に用いられる周波数帯域を複数の分割帯域に分割する帯域分割部を備える。
【００４０】
この構成によれば、伝送される信号に用いられる周波数帯域を分割した分割帯域に対して送信出力を制御することができる。分割帯域毎に異なる平衡度に合わせた適切な送信出力の制御ができる。
【００４１】
第１７の発明に係る平衡伝送システムは、帯域分割部は、平衡度の変化が所定値以上の分割帯域をさらに分割帯域として分割する。
【００４２】
この構成によれば、平衡度の変化が非常に激しい帯域の平衡度をより細かに把握することができる。更に、細かに把握された平衡度変化に従ったより適切な送信出力の制御が実現される。
【００４３】
第１８の発明に係る平衡伝送システムは、管理装置は、帯域分割部が分割した複数の分割帯域毎に送信出力を制御する。
【００４４】
この構成によれば、分割帯域毎で異なる平衡度の変化に応じた送信出力の制御が可能となるので、平衡度変化の少ない分割帯域、平衡度変化の大きい分割帯域などの状況に合わせた送信出力の制御ができる。
【００４５】
第１９の発明に係る平衡伝送システムは、管理装置は、分割帯域の内、送信出力を制御する制御帯域を選択する制御帯域選択部をさらに備え、制御帯域選択部により選択された制御帯域の送信出力を制御する。
【００４６】
この構成によれば、分割された分割帯域の中から、平衡度劣化の激しいなどの特段の状態にある分割帯域を制御帯域として選択して送信出力を制御できる。送信出力制御の負担の軽減と、平衡度の変化に対応した送信出力の制御を適切に両立できる。
【００４７】
第２０の発明に係る平衡伝送システムは、制御帯域選択部は、分割帯域の内、平衡度の変化が所定値以上の分割帯域を制御帯域として選択する。
【００４８】
この構成によれば、制御を行う分割帯域を適切に選択することができ、送信出力制御の負担を軽減させた効率的な制御を行うことができる。
【００４９】
第２１の発明に係る平衡伝送システムは、制御帯域選択部は、分割帯域の内、分割帯域の有する重み付け係数に応じて制御帯域を選択する。
【００５０】
この構成によれば、他の電波信号などとの干渉などで経験的に平衡度の劣化する特定の帯域や、仕様に応じて特に制御が必要となる特定の帯域を、ユーザー要求と実際の平衡度劣化とを用いて選択することができる。ユーザビリティの高い制御ができる。
【００５１】
第２２の発明に係る平衡伝送システムは、送信出力の制御は、送信機により行われる。
【００５２】
この構成により、送信機において少なくとも一部の帯域や分割された分割帯域に対する送信出力の制御ができる。
【００５３】
第２３の発明に係る平衡伝送システムは、管理装置は、伝送される信号に用いられる周波数帯域の少なくとも一部の帯域の入力平衡度を制御する。
【００５４】
この構成によれば、伝送される信号に用いられる帯域の中で任意の帯域に対して入力平衡度を制御できるので、平衡度の悪い帯域を重点的に制御するフレキシビリティの高い受信制御ができる。特に、周波数軸上で多重化されているマルチキャリアの送信信号などにおいて有効である。
【００５５】
第２４の発明に係る平衡伝送システムは、管理装置は、伝送される信号に用いられる周波数帯域を複数の分割帯域に分割する帯域分割部を備える。
【００５６】
この構成によれば、伝送される信号に用いられる周波数帯域を分割した分割帯域に対して入力平衡度を制御することができる。分割帯域毎に異なる平衡度に合わせた適切な入力平衡度の制御ができる。
【００５７】
第２５の発明に係る平衡伝送システムは、帯域分割部は、平衡度の変化が所定値以上の分割帯域をさらに分割帯域として分割する。
【００５８】
この構成によれば、平衡度の変化が非常に激しい帯域の平衡度をより細かに把握することができる。更に、細かに把握された平衡度変化に従ったより適切な入力平衡度の制御が実現される。
【００５９】
第２６の発明に係る平衡伝送システムは、管理装置は、帯域分割部が分割した複数の分割帯域毎に入力平衡度を制御する。
【００６０】
この構成によれば、分割帯域毎で異なる平衡度の変化に応じた入力平衡度の制御が可能となるので、平衡度変化の少ない分割帯域、平衡度変化の大きい分割帯域などの状況に合わせた入力平衡度の制御ができる。
【００６１】
第２７の発明に係る平衡伝送システムは、管理装置は、分割帯域の内、入力平衡度を制御する制御帯域を選択する制御帯域選択部をさらに備え、制御帯域選択部により選択された制御帯域の入力平衡度を制御する。
【００６２】
この構成によれば、分割された分割帯域の中から、平衡度劣化の激しいなどの特段の状態にある分割帯域を制御帯域として選択して入力平衡度を制御できる。入力平衡度制御の負担の軽減と、平衡度の変化に対応した入力平衡度の制御を適切に両立できる。
【００６３】
第２８の発明に係る平衡伝送システムは、制御帯域選択部は、分割帯域の内、平衡度の変化が所定値以上の分割帯域を制御帯域として選択する。
【００６４】
この構成によれば、制御を行う分割帯域を適切に選択することができ、入力平衡度制御の負担を軽減させた効率的な制御を行うことができる。
【００６５】
第２９の発明に係る平衡伝送システムは、制御帯域選択部は、分割帯域の内、分割帯域の有する重み付け係数に応じて制御帯域を選択する。
【００６６】
この構成によれば、他の電波信号などとの干渉などで経験的に平衡度の劣化する特定の帯域や、仕様に応じて特に制御が必要となる特定の帯域を、ユーザー要求と実際の平衡度劣化とを用いて選択することができる。ユーザビリティの高い制御ができる。
【００６７】
第３０の発明に係る平衡伝送システムは、入力平衡度の制御は、受信機により行われる。
【００６８】
この構成により、受信機において少なくとも一部の帯域や分割された分割帯域に対する入力平衡度の制御ができる。
【００６９】
第３１の発明に係る送信機、又は、受信機、又は、送受信機は、上述の発明のいずれかに係る平衡伝送システムが備える管理装置の機能を有する。
【００７０】
この構成によれば、平衡伝送システムは、管理装置が持つ機能を有する送信機、又は、管理装置が持つ機能を有する受信機のうち少なくとも一台を備えていれば良い。したがって、平衡伝送システムの構成が簡便となり、また、管理装置を別に設置する必要がないので、便利である。
【発明の効果】
【００７１】
本発明によれば、伝送路の不平衡によるＥＭＣ問題の影響を低減出来る平衡伝送システム及びその関連技術を提供することができる。
【発明を実施するための最良の形態】
【００７２】
次に、図面を参照しながら、本発明の実施の形態を説明する。
【００７３】
（実施の形態１）
図１は、本発明の実施の形態１における平衡伝送システムの構成図である。
【００７４】
図１に示すように、本形態の平衡伝送システムでは、線路４１と線路４２からなる平衡伝送路に、一台の送信機１０と複数台の受信機２０ａ〜２０ｎが接続されており、管理装置３０は、送信側通信路５１を介して送信機１０と接続されている。送信機１０は、送信制御部１１と送信監視部１２とを有しており、管理装置３０は、システム管理部３１とシステム制御部３２とを有している。
【００７５】
以下の説明において、複数台の受信機２０ａ〜２０ｎを、総称して受信機２０と呼ぶ。
【００７６】
以下に、本形態の平衡伝送システムの動作を説明する。
【００７７】
送信機１０から受信機２０に向かって送られる信号は、送信出力として、送信制御部１１から出力され、送信監視部１２を経由して線路４１、線路４２に注入される。通信開始直後は、線路４１、線路４２のそれぞれに注入される送信出力は、予め設定されている条件にしたがって決定される。例えば、送信制御部１１は、通信開始直後の瞬時的な不要輻射の影響を小さくするためには、線路４１と線路４２とに、比較的小さな値の送信出力を出力する。
【００７８】
線路４１と線路４２に送信出力が注入された時点で、送信監視部１２は、線路４１と線路４２における送信出力の平衡度を監視し、監視結果から送信出力の平衡度に関する送信平衡度情報を生成し、それを管理装置３０に、送信側通信路５１を介して送る。
【００７９】
管理装置３０では、システム管理部３１が、送信機１０から送られてきた送信平衡度情報と当該平衡伝送システムに関するその他の管理情報を管理する。この管理は、当該平衡伝送システムのＥＭＣ問題を極力軽減するためのシステム管理である。システム制御部３２は、システム管理部３１の指示にしたがって、送信機１０が送信出力の平衡度を制御するための制御情報を作成し、送信側通信路５１を介して、送信機１０に送る。
【００８０】
送信機１０の送信制御部１１は、管理装置３０から送られてきた制御情報を基に、線路４１と線路４２とに注入する送信出力を制御する。
【００８１】
このように、本形態の平衡伝送システムは、送信点における送信出力の平衡度を監視し、その送信平衡度情報を基に、管理装置３０が制御情報を作成して、その制御情報に従って、送信機が平衡伝送路のそれぞれの線路に注入する送信出力を、送信機出力点での平衡度を向上させるように、制御する。この結果、伝送路の平衡度に依存せずに送信点における送信出力の平衡を保つことができ、送信機側におけるＥＭＣ問題を低減できる。
【００８２】
本形態の送信側通信路５１は、この平衡伝送システムが信号伝送に使用する平衡伝送路を利用しても良い。この場合は、管理装置３０は、受信機２０と同様に、線路４１と線路４２に接続される。あるいは、本形態の送信側通信路５１は、この平衡伝送システムが信号伝送に使用する平衡伝送路とは別系統の有線ＬＡＮ、あるいは、無線ＬＡＮを利用しても良い。
【００８３】
本形態では、一台の送信機１０と複数台の受信機２０ａ〜２０ｎの組合せについて説明したが、本発明は、一台の送信機１０と一台の受信機との組合せについても適用できる。また、本形態では、管理装置３０は、独立の装置としたが、送信機１０と管理装置３０とが一体となった送信機を採用しても良い。
【００８４】
（実施の形態２）
図２は、本発明の実施の形態２における平衡伝送システムの構成図である。
【００８５】
図２に示すように、本形態の平衡伝送システムは、線路４１と線路４２からなる平衡伝送路に、一台の送信機１０と複数台の受信機２０ａ〜２０ｎが接続されており、管理装置３０は、送信側通信路５１を介して送信機１０と接続され、受信側通信路５２を介して各受信機２０ａ〜２０ｎと接続されている。送信機１０は、送信監視部１２を有しており、受信機２０ａ〜２０ｎは、受信制御部２１ａ〜２１ｎをそれぞれ有している。管理装置３０は、システム管理部３１とシステム制御部３２とを有している。以下の説明において、受信制御部２１ａ〜２１ｎを、総称して受信制御部２１と呼ぶ。
【００８６】
以下に、本形態の平衡伝送システムの動作を説明する。
【００８７】
送信機１０から受信機２０に向かって送られる信号は、送信出力として、送信監視部１２を経由して線路４１、線路４２に注入される。本形態においては、送信機１０は、予め設定されている条件にしたがって、線路４１、線路４２のそれぞれに送信出力を出力する。
【００８８】
線路４１と線路４２に送信出力が注入されると、送信監視部１２は、線路４１と線路４２における送信出力の平衡度を監視し、監視結果から送信出力の平衡度に関する送信平衡度情報を生成し、それを管理装置３０に、送信側通信路５１を介して送る。
【００８９】
管理装置３０では、システム管理部３１が、送信機１０から送られてきた送信平衡度情報と当該平衡伝送システムに関するその他の管理情報を管理する。この管理は、当該平衡伝送システムのＥＭＣ問題を軽減し、かつ、受信機２０での入力信号の平衡度を向上させるためのシステム管理である。システム制御部３２は、システム管理部３１の指示にしたがって、送信機１０から各受信機２０ａ〜２０ｎまでの伝送路の平衡度を勘案して、各受信機２０ａ〜２０ｎが受信信号の入力平衡度を制御するための制御情報を生成し、受信側通信路５２を介して、各受信機２０ａ〜２０ｎに送信する。
【００９０】
各受信機２０ａ〜２０ｎでは、受信制御部２１ａ〜２１ｎは、管理装置３０から送られてきた制御情報を基に、各受信機２０ａ〜２０ｎが受信する受信信号の入力平衡度が最も改善されるように、それぞれの入力平衡度を調整する。
【００９１】
このように、本形態の平衡伝送システムは、送信点における送信出力の平衡度を監視し、その送信平衡度情報を基に、管理装置３０が制御情報を作成して、その制御情報に従って、各受信機２０ａ〜２０ｎが受信する受信信号の入力平衡度が最も改善されるように、それぞれの入力平衡度を調整する。この結果、送信機１０と各受信機２０ａ〜２０ｎとを接続する伝送路の平衡度を考慮に入れたＥＭＣ対策と入力平衡度対策とが可能となる。
【００９２】
本形態の送信側通信路５１と受信側通信路５２とは、この平衡伝送システムが信号伝送に使用する平衡伝送路を利用しても良い。この場合は、管理装置３０は、受信機２０と同様に、線路４１と線路４２に接続される。あるいは、本形態の送信側通信路５１と受信側通信路５２とは、この平衡伝送システムが信号伝送に使用する平衡伝送路とは別系統の有線ＬＡＮ、あるいは、無線ＬＡＮを利用しても良い。
【００９３】
本形態では、一台の送信機１０と複数台の受信機２０ａ〜２０ｎの組合せについて説明したが、本発明は、一台の送信機１０と一台の受信機との組合せについても適用できる。また、本形態では、管理装置３０は、独立の装置としたが、送信機１０と管理装置３０とが一体となった送信機、あるいは、受信機２０と管理装置３０とが一体となった一台の受信機を採用しても良い。
【００９４】
（実施の形態３）
図３は、本発明の実施の形態３における平衡伝送システムの構成図である。
【００９５】
図３に示すように、本形態の平衡伝送システムは、線路４１と線路４２からなる平衡伝送路に、一台の送信機１０と複数台の受信機２０ａ〜２０ｎが接続されており、管理装置３０は、送信側通信路５１を介して送信機１０と接続され、受信側通信路５２を介して受信機２０ａ〜２０ｎのそれぞれと接続されている。送信機１０は、送信制御部１１を有しており、受信機２０ａ〜２０ｎは、受信監視部２２ａ〜２２ｎをそれぞれ有している。管理装置３０は、システム管理部３１とシステム制御部３２とを有している。以下の説明において、受信監視部２２ａ〜２２ｎを、総称して受信監視部２２と呼ぶ。
【００９６】
以下に、本形態の平衡伝送システムの動作を説明する。
【００９７】
送信機１０から受信機２０に向かって送られる信号は、送信出力として、送信制御部１１から線路４１、線路４２に注入される。本形態においては、通信開始直後は、線路４１、線路４２のそれぞれに注入される送信出力は、予め設定されている条件にしたがって決定される。例えば、送信制御部１１は、通信開始直後の瞬時的な不要輻射の影響を小さくし、かつ、各受信機２０での入力平衡度が高くなるように、線路４１と線路４２とに、比較的小さな値の送信出力を出力する。
【００９８】
線路４１と線路４２に送信出力が注入されると、受信機２０ａ〜２０ｎの受信監視部２２ａ〜２２ｎは、それぞれの受信信号の入力平衡度を測定し、その測定結果から入力信号の入力平衡度に関する受信平衡度情報を生成し、それを管理装置３０に、受信側通信路５２を介して送る。
【００９９】
管理装置３０では、システム管理部３１が、各受信機２０ａ〜２０ｎから送られてきた受信平衡度情報と当該平衡伝送システムに関するその他の管理情報を管理する。この管理は、当該平衡伝送システムのＥＭＣ問題を軽減し、かつ、各受信機２０ａ〜２０ｎでの入力信号の平衡度を向上させるためのシステム管理である。システム制御部３２は、システム管理部３１の指示にしたがって、送信機１０から各受信機２０ａ〜２０ｎまでの伝送路の平衡度を考慮して、送信機１０が送信出力の平衡度を制御するための制御情報作成し、送信側通信路５１を介して、送信機１０に送る。
【０１００】
送信機１０の送信制御部１１は、管理装置３０から送られてきた制御情報を基に、線路４１と線路４２とに注入する送信出力を制御する。
【０１０１】
図８は、本発明の実施の形態３の簡略化した平衡伝送システムの構成図である。図８の平衡伝送システムでは、受信機２０は、１台のみである。この平衡伝送システムの動作は、受信機２０が一台であることを除き、上述した図３の平衡伝送システムの動作と同様であり、その説明を省略する。
【０１０２】
このように、本形態の平衡伝送システムは、各受信機２０ａ〜２０ｎの受信信号の入力平衡度を監視し、その受信平衡度情報を基に、管理装置３０が制御情報を作成して、その制御情報に従って、送信機が平衡伝送路のそれぞれの導体に注入する送信出力を、送信機出力点での平衡度を向上させ、かつ、受信機２０の受信信号の入力平衡度が向上するように、制御する。従って、本形態によれば、送信機側におけるＥＭＣ問題を考慮して、受信機２０の受信信号の平衡度を向上させることができる。
【０１０３】
実施の形態２と同様に、本形態の送信側通信路５１と受信側通信路５２とは、この平衡伝送システムが信号伝送に使用する平衡伝送路を利用しても良い。この場合は、管理装置３０は、受信機２０と同様に、線路４１と線路４２に接続される。あるいは、本形態の送信側通信路５１と受信側通信路５２とは、この平衡伝送システムが信号伝送に使用する平衡伝送路とは別系統の有線ＬＡＮ、あるいは、無線ＬＡＮを利用しても良い。
【０１０４】
本形態では、一台の送信機１０と複数台の受信機２０ａ〜２０ｎの組合せについて、また、簡略化した形態では、一台の送信機１０と一台の受信機２０の組合せについて、説明した。また、本形態では、管理装置３０は、独立の装置としたが、送信機１０と管理装置３０とが一体となった送信機、あるいは、受信機２０と管理装置３０とが一体となった受信機を採用しても良い。
【０１０５】
（実施の形態４）
図４は、本発明の実施の形態４における平衡伝送システムの構成図である。
【０１０６】
図４に示すように、本形態の平衡伝送システムは、線路４１と線路４２からなる平衡伝送路に、一台の送信機１０と複数台の受信機２０ａ〜２０ｎが接続されており、管理装置３０は、受信側通信路５２を介して受信機２０ａ〜２０ｎのそれぞれと接続されている。受信機２０ａ〜２０ｎは、受信制御部２１ａ〜２１ｎと受信監視部２２ａ〜２２ｎとをそれぞれ有している。管理装置３０は、システム管理部３１とシステム制御部３２とを有している。
【０１０７】
以下に、本形態の平衡伝送システムの動作を説明する。
【０１０８】
送信機１０から受信機２０に向かって送られる信号は、送信出力として、予め設定された条件で、線路４１、線路４２に注入される。本形態においては、線路４１、線路４２のそれぞれに注入される送信出力は、送信点でのＥＭＣ問題と各受信機２０での受信信号の受信平衡度とを考慮して、一定の値に設定されている。
【０１０９】
線路４１と線路４２に送信出力が注入されると、受信機２０ａ〜２０ｎの受信監視部２２ａ〜２２ｎは、それぞれの受信信号の入力平衡度を測定し、その測定結果からそれぞれの入力信号の入力平衡度に関する受信平衡度情報を生成し、それを管理装置３０に、受信側通信路５２を介して送る。
【０１１０】
管理装置３０では、システム管理部３１が、各受信機２０ａ〜２０ｎから送られてきた受信平衡度情報と当該平衡伝送システムに関するその他の管理情報を管理する。この管理は、当該平衡伝送システムのＥＭＣ問題を軽減し、かつ、受信機２０での入力信号の平衡度を向上させるためのシステム管理である。システム制御部３２は、システム管理部３１の指示にしたがって、送信機１０から各受信機２０ａ〜２０ｎまでの伝送路の平衡度を考慮して、各受信機２０ａ〜２０ｎが受信信号の入力平衡度を制御するための制御情報を生成し、受信側通信路５２を介して、各受信機２０ａ〜２０ｎに送信する。
【０１１１】
各受信機２０ａ〜２０ｎでは、受信制御部２１ａ〜２１ｎは、管理装置３０から送られてきた制御情報を基に、各受信機２０ａ〜２０ｎが受信する受信信号の入力平衡度が最も改善されるように、それぞれの入力平衡度を調整する。
【０１１２】
図９は、本発明の実施の形態４の簡略化した平衡伝送システムの構成図である。図９の平衡伝送システムでは、受信機２０は、１台のみである。この平衡伝送システムの動作は、受信機２０が一台であることを除き、上述した図４の平衡伝送システムの動作と同様であり、その説明を省略する。
【０１１３】
このように、本形態の平衡伝送システムは、各受信機２０の受信信号の入力平衡度を監視し、その受信平衡度情報を基に、管理装置３０が制御情報を作成して、その制御情報に従って、各受信機２０が受信する受信信号の入力平衡度が最も改善されるように、それぞれの入力平衡度を調整する。この結果、送信機１０と各受信機２０ａ〜２０ｎとを接続する伝送路の平衡度を考慮に入れたＥＭＣ対策と入力平衡度対策とが可能となる。
【０１１４】
本形態の受信側通信路５２は、この平衡伝送システムが信号伝送に使用する平衡伝送路を利用しても良い。この場合は、管理装置３０は、受信機２０と同様に、線路４１と線路４２に接続される。あるいは、本形態の受信側通信路５２は、この平衡伝送システムが信号伝送に使用する平衡伝送路とは別系統の有線ＬＡＮ、あるいは、無線ＬＡＮを利用しても良い。
【０１１５】
本形態では、管理装置３０は、独立の装置としたが、受信機２０と管理装置３０とが一体となった受信機を採用しても良い。
【０１１６】
（実施の形態５）
図５は、本発明の実施の形態５における平衡伝送システムの構成図である。
【０１１７】
図５に示すように、本形態の平衡伝送システムは、線路４１と線路４２からなる平衡伝送路に、一台の送信機１０と複数台の受信機２０ａ〜２０ｎが接続されており、管理装置３０は、送信側通信路５１を介して送信機１０と接続され、受信側通信路５２を介して各受信機２０ａ〜２０ｎと接続されている。送信機１０は、送信制御部１１と送信監視部１２とを有しており、受信機２０ａ〜２０ｎは、受信監視部２２ａ〜２２ｎをそれぞれ有している。管理装置３０は、システム管理部３１とシステム制御部３２とを有している。
【０１１８】
以下に、本形態の平衡伝送システムの動作を説明する。
【０１１９】
送信機１０から受信機２０に向かって送られる信号は、送信出力として、送信制御部１１から出力され、送信監視部１２を経由して線路４１、線路４２に注入される。本形態においては、通信開始直後は、線路４１、線路４２のそれぞれに注入される送信出力は、予め設定されている条件にしたがって決定される。例えば、送信制御部１１は、通信開始直後の瞬時的な不要輻射の影響を小さくするためには、線路４１と線路４２とに、比較的小さな値の送信出力を出力する。
【０１２０】
線路４１と線路４２に送信出力が注入された時点で、送信監視部１２は、線路４１と線路４２における送信出力の平衡度を監視し、監視結果から送信出力の平衡度に関する送信平衡度情報を生成し、それを管理装置３０に、送信側通信路５１を介して送る。
【０１２１】
同時に、各受信機２０ａ〜２０ｎの受信監視部２２ａ〜２２ｎは、それぞれの受信信号の入力平衡度を測定し、その測定結果からそれぞれの入力信号の入力平衡度に関する受信平衡度情報を生成し、それを管理装置３０に、受信側通信路５２を介して送る。
【０１２２】
管理装置３０では、システム管理部３１が、送信機１０から送られてきた送信平衡度情報と、各受信機２２ａ〜２２ｎから送られてきた受信平衡度情報と、当該平衡伝送システムに関するその他の管理情報を管理する。この管理は、当該平衡伝送システムのＥＭＣ問題を軽減し、かつ、各受信機２２ａ〜２２ｎでの入力信号の平衡度を向上させるためのシステム管理である。
【０１２３】
システム制御部３２は、システム管理部３１の指示にしたがって、ＥＭＣ問題に対する当該平衡伝送システム全体として最適な送信出力を得るための送信機１０に対する制御情報を生成し、送信側通信路５１を介して送信機１０に送信する。
【０１２４】
送信機１０の送信制御部１１は、管理装置３０から送られてきた送信機１０に対する制御情報を基に、線路４１と線路４２とに注入する送信出力を制御する。
【０１２５】
このように、本形態の平衡伝送システムは、送信点における送信出力の平衡度を監視し、それを基に生成された送信平衡度情報と、受信機２０における受信信号の入力平衡度とを監視し、それを基に生成された受信平衡度情報とを用いて、管理装置３０が、送信機１０に対する制御情報を作成する。送信機１０は、送信機１０に対する制御情報に従って、線路４１と線路４２とに注入する送信出力を制御する。この結果、送信機１０と各受信機２０ａ〜２１ｎとを接続する伝送路の平衡度を考慮に入れた高精度のＥＭＣ対策と入力平衡度対策とが可能となる。
【０１２６】
本形態の送信側通信路５１と受信側通信路５２とは、この平衡伝送システムが信号伝送に使用する平衡伝送路を利用しても良い。この場合は、管理装置３０は、受信機２０と同様に、線路４１と線路４２に接続される。あるいは、本形態の送信側通信路５１と受信側通信路５２とは、この平衡伝送システムが信号伝送に使用する平衡伝送路とは別系統の有線ＬＡＮ、あるいは、無線ＬＡＮを利用しても良い。
【０１２７】
本形態では、一台の送信機１０と複数台の受信機２０ａ〜２０ｎの組合せについて説明したが、本発明は、一台の送信機１０と一台の受信機との組合せについても適用できる。また、本形態では、管理装置３０は、独立の装置としたが、送信機１０と管理装置３０とが一体となった送信機、あるいは、受信機２０と管理装置３０とが一体となった受信機を採用しても良い。
【０１２８】
（実施の形態６）
図６は、本発明の実施の形態６における平衡伝送システムの構成図である。
【０１２９】
図６に示すように、本形態の平衡伝送システムは、線路４１と線路４２からなる平衡伝送路に、一台の送信機１０と複数台の受信機２０ａ〜２０ｎが接続されており、管理装置３０は、送信側通信路５１を介して送信機１０と接続され、受信側通信路５２を介して受信機２０のそれぞれと接続されている。送信機１０は、送信監視部１２を有しており、受信機２０ａ〜２０ｎは、受信制御部２１ａ〜２１ｎと受信監視部２２ａ〜２２ｎとをそれぞれ有している。管理装置３０は、システム管理部３１とシステム制御部３２とを有している。
【０１３０】
以下に、本形態の平衡伝送システムの動作を説明する。
【０１３１】
送信機１０から受信機２０に向かって送られる信号は、送信出力として、送信監視部１２を経由して線路４１、線路４２に注入される。本形態においては、送信機１０は、予め設定されている条件にしたがって、線路４１、線路４２のそれぞれに送信出力を出力する。
【０１３２】
線路４１と線路４２に送信出力が注入されると、送信監視部１２は、線路４１と線路４２における送信出力の平衡度を監視し、監視結果から送信出力の平衡度に関する送信平衡度情報を生成し、それを管理装置３０に、送信側通信路５１を介して送る。
【０１３３】
同時に、受信機２０ａ〜２０ｎの受信監視部２２ａ〜２２ｎは、それぞれの受信信号の入力平衡度を測定し、その測定結果からそれぞれの入力信号の入力平衡度に関する受信平衡度情報を生成し、それを管理装置３０に、受信側通信路５２を介して送る。
【０１３４】
管理装置３０では、システム管理部３１が、送信機１０から送られてきた送信平衡度情報と、各受信機２２ａ〜２２ｎから送られてきた受信平衡度情報と、当該平衡伝送システムに関するその他の管理情報を管理する。この管理は、当該平衡伝送システムのＥＭＣ問題を軽減し、かつ、各受信機２２ａ〜２２ｎでの入力信号の平衡度を向上させるためのシステム管理である。
【０１３５】
システム制御部３２は、システム管理部３１の指示にしたがって、送信機１０から各受信機２０ａ〜２０ｎまでの伝送路の平衡度を勘案して、各受信機２０ａ〜２０ｎが受信信号の入力平衡度を制御するための制御情報を生成し、受信側通信路５２を介して、各受信機２０ａ〜２０ｎに送信する。
【０１３６】
各受信機２０ａ〜２０ｎでは、受信制御部２１ａ〜２１ｎは、管理装置３０から送られてきた制御情報を基に、各受信機２０ａ〜２０ｎが受信する受信信号の入力平衡度が最も改善されるように、それぞれの入力平衡度を調整する。
【０１３７】
このように、本形態の平衡伝送システムは、送信点における送信出力の平衡度を監視し、それを基に生成された送信平衡度情報と、各受信機２２ａ〜２２ｎにおける受信信号の入力平衡度を監視し、それを基に生成された受信平衡度情報とを用いて、管理装置３０が、に対する制御情報を作成する。各受信機２０ａ〜２１ｎは、管理装置３０が作成した制御情報に従って、受信信号の入力平衡度が最も改善するように、それぞれの入力平衡度を調整する。この結果、送信機１０と各受信機２０ａ〜２１ｎとを接続する伝送路の平衡度を考慮に入れた高精度のＥＭＣ対策と入力平衡度対策とが可能となる。
【０１３８】
本形態の送信側通信路５１と受信側通信路５２とは、この平衡伝送システムが信号伝送に使用する平衡伝送路を利用しても良い。この場合は、管理装置３０は、受信機２０と同様に、線路４１と線路４２に接続される。あるいは、本形態の送信側通信路５１と受信側通信路５２とは、この平衡伝送システムが信号伝送に使用する平衡伝送路とは別系統の有線ＬＡＮ、あるいは、無線ＬＡＮを利用しても良い。
【０１３９】
本形態では、一台の送信機１０と複数台の受信機２０ａ〜２０ｎの組合せについて説明したが、本発明は、一台の送信機１０と一台の受信機との組合せについても適用できる。また、本形態では、管理装置３０は、独立の装置としたが、送信機１０と管理装置３０とが一体となった送信機、あるいは、受信機２０と管理装置３０とが一体となった一台の受信機を採用しても良い。
【０１４０】
（実施の形態７）
図７は、本発明の実施の形態７における平衡伝送システムの構成図である。
【０１４１】
図７に示すように、本形態の平衡伝送システムは、線路４１と線路４２からなる平衡伝送路に、一台の送信機１０と複数台の受信機２０ａ〜２０ｎが接続されており、管理装置３０は、送信側通信路５１を介して送信機１０と接続され、受信側通信路５２を介して複数台の受信機２０ａ〜２０ｎのそれぞれと接続されている。送信機１０は、送信制御部１１と送信監視部１２とを有しており、各受信機２０ａ〜２０ｎは、受信制御部２１ａ〜２１ｎと受信監視部２２ａ〜２２ｎとをそれぞれ有している。管理装置３０は、システム管理部３１とシステム制御部３２とを有している。
【０１４２】
以下に、本形態の平衡伝送システムの動作を説明する。
【０１４３】
送信機１０から受信機２０に向かって送られる信号は、送信出力として、送信制御部１１から出力され、送信監視部１２を経由して線路４１、線路４２に注入される。本形態においては、送信機１０は、予め設定されている条件にしたがって、線路４１、線路４２のそれぞれに送信出力を出力する。例えば、送信制御部１１は、通信開始直後の瞬時的な不要輻射の影響を小さくするためには、線路４１と線路４２とに、比較的小さな値の送信出力を出力する。
【０１４４】
線路４１と線路４２に送信出力が注入されると、送信監視部１２は、線路４１と線路４２における送信出力の平衡度を監視し、監視結果から送信出力の平衡度に関する送信平衡度情報を生成し、それを管理装置３０に、送信側通信路５１を介して送る。
【０１４５】
同時に、受信機２０ａ〜２０ｎの受信監視部２２ａ〜２２ｎは、それぞれの受信信号の入力平衡度を測定し、その測定結果からそれぞれの入力信号の入力平衡度に関する受信平衡度情報を生成し、それを管理装置３０に、受信側通信路５２を介して送る。
【０１４６】
管理装置３０では、システム管理部３１が、送信機１０から送られてきた送信平衡度情報と、各受信機２０ａ〜２０ｎから送られてきた受信平衡度情報と、当該平衡伝送システムに関するその他の管理情報を管理する。この管理は、当該平衡伝送システムのＥＭＣ問題を軽減し、かつ、各受信機２０ａ〜２０ｎでの入力信号の平衡度を向上させるためのシステム管理である。
【０１４７】
システム制御部３２は、システム管理部３１の指示にしたがって、ＥＭＣ問題に対する当該平衡伝送システム全体として最適な送信出力を得るための送信機１０に対する制御情報を生成し、送信側通信路５１を介して送信機１０に送信する。同時に、システム制御部３２は、各受信機２０ａ〜２０ｎが受信信号の入力平衡度を制御するための制御情報を生成し、受信側通信路５２を介して、各受信機２０ａ〜２０ｎに送信する。
【０１４８】
送信機１０の送信制御部１１は、管理装置３０から送られてきた送信機１０に対する制御情報を基に、線路４１と線路４２とに注入する送信出力を制御する。
【０１４９】
同時に、各受信機２０では、受信制御部２１ａ〜２１ｎは、管理装置３０から送られてきた入力平衡度を制御するための制御情報を基に、各受信機２０ａ〜２０ｎが受信する受信信号の入力平衡度が最も改善されるように、それぞれの入力平衡度を調整する。
【０１５０】
このように、本形態の平衡伝送システムは、送信点における送信出力の平衡度を監視し、それを基に生成された送信平衡度情報と、受信機２０における受信信号の入力平衡度を監視し、それを基に生成されたと受信平衡度情報とを用いて、管理装置３０が、送信機１０に対する制御情報と受信機２０に対する制御情報とを作成する。送信機１０は、送信機１０に対する制御情報に従って、線路４１と線路４２とに注入する送信出力を制御する。各受信機２０ａ〜２１ｎは、各受信機２０ａ〜２１ｎに対する制御情報に従って、受信信号の入力平衡度が最も改善するように、それぞれの入力平衡度を調整する。
【０１５１】
この結果、送信機１０と各受信機２０ａ〜２１ｎとを接続する伝送路の平衡度を考慮に入れた高精度のＥＭＣ対策と入力平衡度対策とが同時に可能となる。
【０１５２】
本形態の送信側通信路５１と受信側通信路５２とは、この平衡伝送システムが信号伝送に使用する平衡伝送路を利用しても良い。この場合は、管理装置３０は、受信機２０と同様に、線路４１と線路４２に接続される。あるいは、本形態の送信側通信路５１と受信側通信路５２とは、この平衡伝送システムが信号伝送に使用する平衡伝送路とは別系統の有線ＬＡＮ、あるいは、無線ＬＡＮを利用しても良い。
【０１５３】
本形態では、一台の送信機１０と複数台の受信機２０ａ〜２０ｎの組合せについて説明したが、本発明は、一台の送信機１０と一台の受信機との組合せについても適用できる。また、本形態では、管理装置３０は、独立の装置としたが、送信機１０と管理装置３０とが一体となった送信機、あるいは、受信機２０と管理装置３０とが一体となった一台の受信機を採用しても良い。
【０１５４】
以上説明したように、本発明の平衡伝送システムは、送信端における注入送信出力の平衡度と、受信端における受信信号の入力平衡度とを監視し、それらの情報を基に、管理装置が、ＥＭＣ問題と、受信信号の入力平衡度とが改善されるように、当該平衡伝送システム全体を、管理するものである。
【０１５５】
本発明の実施の形態では、一対の線路からなる平衡伝送路について述べたが、本発明は、多対の線路からなる平衡伝送路に対しても適用できる。
【０１５６】
要するに、本発明の趣旨は、送信端における注入送信出力の平衡度と、受信端における受信信号の入力平衡度に関する情報を基に、平衡伝送路のＥＭＣ問題の軽減と、信号伝送の高品質化を実現することにあるのであって、本発明の趣旨を逸脱しない限り、種々の適用が可能である。
【０１５７】
（実施の形態８）
次に、図１１から図２３を用いて、本発明の実施の形態８における平衡伝送システムについて説明する。実施の形態８における平衡伝送システムは、伝送される信号に用いられる周波数帯域の一部の帯域に対して、もしくはこの周波数帯域が分割された複数の分割帯域毎に送信出力の制御や入力平衡度の制御がなされる構成を有している。
【０１５８】
図１１は本発明の実施の形態８における平衡伝送システムの構成図であり、図１２、図１３は、本発明の実施の形態８における平衡伝送システムが処理する信号の周波数特性図である。図１２は、伝送される信号６１が用いる周波数帯域の一部の帯域６２の送信出力が制御されることを表しており、図１３は、伝送される信号６１が用いる周波数帯域が分割されて、複数の分割帯域６３〜６８毎に送信出力が制御されることが表されている。
【０１５９】
実施の形態８では、送信平衡度情報、及び受信平衡度情報を基に、伝送される信号が用いる周波数帯域の一部、あるいは周波数帯域を分割して得られる複数の分割帯域に対して送信出力を制御する平衡伝送システムについて説明する。
【０１６０】
まず、システム管理部３１は、線路４１と線路４２における送信出力の平衡度に関する送信平衡度情報を管理する。システム管理部３１は送信平衡度情報以外の管理情報も含めて管理する。ここで、システム管理部３１が管理する送信平衡度情報は、伝送される信号に用いられる周波数帯域の一部の帯域の平衡度情報、あるいは分割された複数の分割帯域毎の平衡度情報が管理される。
【０１６１】
次に、システム制御部３２は、システム管理部３１に管理されている一部の帯域、もしくは分割帯域毎の平衡度情報に基づいて制御情報を作成する。システム制御部３２は、作成した制御情報を、送信側通信路５１を介して送信機１０に送る。
【０１６２】
次いで、送信機１０は一部の帯域、もしくは分割帯域毎の制御情報に基づいて、一部の帯域、もしくは分割帯域毎の制御情報に基づいて線路４１と線路４２に注入する送信信号の出力を制御する。例えば、平衡度が非常に悪い場合は、線路４１と線路４２の出力電力に不均衡がある状態であるから、出力電力が高いほうに合わせる、もしくは出力電力が低いほうに合わせるように線路４１と線路４２の出力電力の均衡を合わせる。出力電力の低いほうに合わせるか、高いほうに合わせるかは、平衡伝送システム全体の受信状態や不要輻射状態を考慮して決められればよい。
【０１６３】
また、出力制御は、出力電力の制御のみでなく、出力電流、出力電圧の制御、あるいは、出力インピーダンスの制御などでもよい。
【０１６４】
次に、一部の帯域、もしくは分割された複数の分割帯域毎に制御することについての詳細を説明する。
【０１６５】
図１２に表されるように伝送される信号６１が用いる周波数帯域の一部の帯域６２の送信出力が制御される。例えば、伝送路の特徴やシステムの設置環境などから経験的に平衡度の悪くなる帯域が選択されて、選択された一部の帯域６２の送信出力が制御される。伝送される信号６１は、一定の周波数帯域を有しており、伝送路の状態や設置環境によって用いられる周波数帯域の一部の帯域が特に平衡度が悪くなることが生じる。特に、複数のキャリア信号が周波数軸上で多重化されている周波数多重信号（以下、「ＦＤＭ」という）や、直交周波数分割多重信号（以下、「ＯＦＤＭ」という）などの信号では、キャリア毎の出力レベルの違いや変調方式の違いで、用いられる周波数帯域全体で一様な平衡度の変化を生じず、帯域ごとで平衡度の変化が異なることも多い。あるいは周波数拡散信号なども同様である。
【０１６６】
このような信号が用いられる場合には、用いられる周波数帯域全体で一様な出力制御を行うよりも、ある帯域での平衡度に応じた出力制御をきめ細かく行うことが好ましい。
【０１６７】
あるいは図１３に示されるように、伝送される信号に用いられる周波数帯域を複数の分割帯域６３〜６８に分割し、分割帯域毎に出力制御が行われることも好適である。帯域毎に平衡度が異なる場合には、平衡度情報に基づいて行われる出力制御が帯域毎で適切に行われることで、より状態に対応した制御が行われるからである。
【０１６８】
次に、図１４、図１５、図１６は、本発明の実施の形態８における平衡伝送システムの構成図である。
【０１６９】
図１１では、管理装置３０が送信機１０より平衡度に関する情報を得る構成が表されているが、図１４のように、送信機１０に含まれる送信監視部１２から平衡度に関する情報を得る構成でもよい。このとき、システム管理部３１が送信監視部１２に分割帯域の情報を送り、送信監視部１２は監視の必要な帯域について平衡度を監視して管理装置３０に平衡度情報を出力する。システム制御部３２は、送信監視部１２から送られた制御の必要な帯域の平衡度情報を基に、送信出力の制御情報を作成して、送信機１０に出力する。送信機１０は、この制御情報を基に送信信号の出力を制御する。
【０１７０】
次に、図１５に表されるように、伝送される信号に用いられる周波数帯域を複数に分割する帯域分割部７０を有する平衡伝送システムについて説明する。
【０１７１】
帯域分割部７０は、伝送される信号に用いられる周波数帯域を複数の分割帯域に分割する。なお、図１５では、帯域分割部は管理装置３０内部に含まれているが、管理装置３０の外部であっても、送信機１０内部に含まれる構成であってもよい。
【０１７２】
帯域分割部７０は、図１３に表されるように伝送される信号に用いられる周波数帯域６１を分割帯域６３〜６８に分割する。帯域分割部７０は、分割帯域に関する情報をシステム管理部３１に出力し、システム管理部３１は、送信監視部１２に分割帯域情報を転送する。送信監視部１２は、分割された分割帯域毎に平衡度を監視して、監視結果をシステム管理部３１に出力する。システム管理部３１は、システム制御部３２に平衡度に関する情報を出力する。システム制御部３２は送られた平衡度に関する情報を基に、分割された分割帯域毎に用いられる制御情報を作成し、送信機１０に出力する。送信機１０は、制御情報を基に分割帯域毎に応じた出力制御を行う。以上の処理により、帯域毎の平衡度に応じたきめ細かな送信出力制御を実行することができる。
【０１７３】
なお、帯域分割部７０による帯域分割は、用いられる周波数帯域を均等分割でもよく、非均等な分割でもよい。あるいは、経験的に平衡度の変動が激しい帯域ではより細かく帯域を分割することでもよい。例えば、妨害の入りやすい周波数帯では、平衡度の変動が激しいのでこの周波数帯の分割は他の周波数帯の分割よりも細分化することが好ましい。あるいは、分割されたある分割帯域の平衡度の変動が所定値以上であれば、さらに細分化した分割を再実行してもよい。
【０１７４】
また、周波数上で複数のキャリアが多重化されている信号では、分割帯域はキャリア毎に行われてもよい。キャリア毎の状態や特長により異なる平衡度を有するので、多重キャリア信号は、キャリア毎に細密に平衡度情報に基づいた出力制御を行うことが好ましいからである。
【０１７５】
なお、分割された分割帯域の全てに対して出力制御を行わず、平衡度が所定値以上の分割帯域のみに対して出力制御を行ってもよい。出力制御を行う分割帯域数の減少により、制御処理が減少するからである。例えば、分割帯域６３、６４の平衡度が所定値（経験的に出力制御を行う必要のない値）未満であり、残りの分割帯域６５〜６８の平衡度が所定値以上である場合は、分割帯域６５〜６８に対応する送信信号のみが出力制御される。あるいは制御負担とのバランスから、あらかじめ平衡度の悪化が少ないと経験的に分かっている分割帯域を除いた他の分割帯域を制御することでもよい。また、多重キャリアの信号であって、他の通信電波との相互影響を避けるために出力電力があらかじめ低減されている帯域が制御帯域から除外されてもよい。
【０１７６】
なお、図１１、図１４、図１５では、送信機１０が、送られた制御情報を用いて送信出力の制御を行う構成を有しているが、図１６に表されるように送信制御部１１が送信出力を制御する構成でもよい。
【０１７７】
次に、複数の分割帯域の内、特定の分割帯域を制御帯域として選択する制御帯域選択部７１を有する平衡伝送システムについて説明する。
【０１７８】
図１７は、本発明の実施の形態８における平衡伝送システムの構成図、図１８は、本発明の実施の形態８における制御帯域選択部の内部構成図であり、図１９は、本発明の実施の形態８における制御帯域の選択を表す信号周波数特性図である。
【０１７９】
帯域分割部７０で分割された複数の分割帯域には、送信出力の制御が必要な帯域と不要な帯域とが混在していることがある。例えば、平衡度の劣化が所定値以上である帯域と所定値未満である帯域との違いがある。あるいは、多重キャリアにおいて、他のシステムで用いられる周波数帯と重複しているために、あらかじめ送信出力が低く抑えられている帯域が存在することがある。このような場合には、全ての分割帯域に対して送信出力の制御を行うのではなく、任意の分割帯域に対して送信出力の制御を行うことが好適である。
【０１８０】
制御帯域選択部７１は、帯域分割部７０が分割した複数の分割帯域の中から、送信出力の制御を行う制御帯域を選択する。帯域分割部７０は、伝送される信号に用いられる周波数帯域を複数の分割帯域に分割する。帯域分割部７０は、分割される分割帯域の情報をシステム管理部３１に出力し、システム管理部３１は、分割帯域の情報を送信監視部１２に出力する。送信監視部１２は、分割帯域情報に基づき分割帯域毎の平衡度を監視して、平衡度情報をシステム管理部３１に出力する。システム管理部３１は、受け取った分割帯域毎の平衡度情報を制御帯域選択部７１に出力する。制御帯域選択部７１は、所定の仕様に従い、複数の分割帯域から送信出力を制御する分割帯域を選択する。制御帯域選択部７１は選択した分割帯域の情報をシステム制御部３２に出力し、システム制御部３２は選択された分割帯域についての送信出力の制御情報を作成して、送信機１０に出力する。送信機１０は、受け取った制御情報を元に送信出力を制御する。制御は送信信号の出力電力、出力電圧、もしくは出力電流などを変化させることで行われる。なお、送信機１０での送信出力制御は、送信制御部１１で行われてもよい。
【０１８１】
制御帯域選択部７１は、分割帯域毎の平衡度情報を、任意に定められる所定値との比較により制御を行う帯域を選択する。図１８には、所定値と比較して制御帯域８０を選択する制御帯域選択部７１の内部構成が表されている。平衡度情報７３〜７７は、分割されたそれぞれの分割帯域の平衡度情報である。これらの分割帯域毎の平衡度情報は、比較部７８において、所定値７９と比較される。所定値７９は任意に定められればよく、可変であってもよい。
【０１８２】
比較部７８での比較の結果、平衡度が所定値７９以上の分割帯域が、送信出力を制御する制御を行う制御帯域８０として選択される。システム制御部３２は送信出力の制御情報を作成して、送信機１０に出力し、送信機１０が選択された制御帯域８０の送信出力を制御する。
【０１８３】
また、図１９に表されるように、重み付け係数に応じて、制御を行う制御帯域を選択することもよい。
【０１８４】
制御帯域選択部７１は、分割帯域毎に重み付け係数αが付与する。重み付け係数αは、例えば平衡伝送システムの設置環境などから経験的に分かっている平衡度の変動の度合いに応じて付与される。図１９では、分割帯域６３は重み付け係数αが値「１」であり、同様に分割帯域６４は重み付け係数αが値「３」であり、以下、値「２」、値「２」、値「３」、値「１」である。重み付け係数αの値は、平衡度の劣化や変動の大きさに比例して大きくなるものとして表されている。重み付け係数αは、経験的な視点からあらかじめ付与されてもよく、分割帯域毎の平衡度の度合いに対応した値が付与されてもよい。
【０１８５】
制御帯域選択部７１は、付与した重み付け係数αに従って、制御を行う制御帯域を選択する。例えば、図１９においては重み付け係数αが値「３」以上の分割帯域が制御帯域として選択される。もしくは重み付け係数αが値「２」以上の分割帯域が制御帯域として選択される。重み付け係数の値は、例えば送信出力を制御する処理負荷を考慮して決められればよい。
【０１８６】
また、重み付け係数αの値による制御帯域を選択のみでなく、図１８に表される平衡度に重み付け係数αを乗じた結果による選択でもよい。この選択により、平衡度情報に経験的な傾向を加えた上での制御帯域の選択ができる。
【０１８７】
なお、以上の処理は、送信平衡度情報のみでなく、受信機２０で検出される受信平衡度情報を別途、あるいは併せて用いてもよい。受信平衡度情報を併せて用いることで、より詳細な平衡度情報に基づいた送信出力の制御ができるからである。
【０１８８】
次に、伝送される信号に用いられる周波数帯域の一部、もしくは分割された分割帯域毎に得られた平衡度情報に基づいて、受信機２０の入力平衡度を制御することについて図２０から図２３を用いて説明する。なお、信号の周波数特性図などは送信出力の制御と同様であるので、同じ図面を用いて説明する。
【０１８９】
図２０は、本発明の実施の形態８における平衡伝送システムの構成図である。図２０に表される平衡伝送システムは、管理装置３０が受信機２０からの受信平衡度情報を基に制御情報を作成して、この制御情報を基に受信機２０の入力平衡度を制御する。入力平衡度の制御は、入力インピーダンスの調整により実現される。例えば、受信機２０に可変抵抗や可変容量が設けられ、制御情報に従った可変抵抗や可変容量の調整により入力インピーダンスが制御される。また、受信機２０が監視する受信平衡度情報のみでなく、送信機１０が監視する送信平衡度情報も併せて用いられることも好適である。より詳細な制御が可能となるからである。また、受信平衡度情報は、受信監視部２２により監視されて管理装置３０に出力され、入力平衡度の制御は受信制御部２１により行われる。
【０１９０】
図２０に表されている平衡伝送システムでは、伝送される信号に用いられる周波数帯域の一部、もしくは分割された複数の分割帯域毎に入力平衡度が制御される。周波数帯域の一部が制御される場合は、設置環境などから特に平衡度の悪い帯域の入力平衡度が制御される。伝送路の状態によっては、伝送される信号に用いられる周波数帯域全体が一様に制御されるよりも、平衡度の悪い帯域のみが制御されるのが好ましい場合もあるからである。また、複数の分割帯域毎の平衡度に合わせて入力平衡度を調整することも、より精細な制御の点で好ましい。複数の分割帯域への分割は、図２１に表される帯域分割部７０が用いられる。
【０１９１】
図２１から図２３を用いて、複数の分割帯域に分割して入力平衡度を制御する構成について説明する。
【０１９２】
図２１、図２２は、本発明の実施の形態８における平衡伝送システムの構成図である。
【０１９３】
帯域分割部７０は、伝送される信号に用いられる周波数帯域を複数の分割帯域に分割し、分割情報をシステム管理部３１に出力する。システム管理部３１は分割情報を、受信機２０に出力して、受信機２０は分割帯域毎に受信平衡度を監視する。受信機２０は分割帯域毎の受信平衡度情報をシステム管理部３１に出力して、システム管理部３１はシステム制御部３２に分割帯域毎の受信平衡度情報を出力する。システム制御部３２は、受信平衡度情報を基に、分割帯域毎の制御情報を作成し受信機２０に出力する。受信機２０は受け取った制御情報を基に、分割帯域毎の入力平衡度を制御する。なお、受信監視部２２が受信平衡度の監視を行い、受信制御部２１が入力平衡度を制御すればよい。
【０１９４】
なお、帯域分割部７０は周波数帯域を均等に分割してもよく、非均等に分割してもよく、平衡度の変動などの度合いに応じて分割を実行すればよい。また、送信出力の制御での帯域分割部と同じく、平衡度の特に悪い帯域は更なる再分割を行うことも好適である。
【０１９５】
次に、図２２には、複数の分割帯域から実際に制御する帯域を選択する制御帯域選択部７１が設けられた構成が表されている。実施の形態８での送信出力制御において説明したのと同様に、分割された複数の分割帯域毎の平衡度は様々であるので、全ての分割帯域の入力平衡度を制御する必要がない場合もある。このため、複数の分割帯域から制御帯域を選択することは効率的な制御の観点から好ましい。
【０１９６】
制御帯域選択部７１は、システム管理部３１から受信平衡度に関する情報を受け、分割帯域毎の平衡度情報から制御帯域を選択する。送信出力の制御と同様に、平衡度が所定値以上の分割帯域が制御帯域として選択される、あるいはあらかじめ設けられた重み係数に従って選択されればよい。また、重み付け係数の乗じられた平衡度と所定値と比較により、制御帯域が選択されてもよい。このように、制御帯域選択部７１により実際の制御される制御帯域が選択されることで、効率的な制御が実現される。
【０１９７】
次いで、送信出力の制御と、入力平衡度の制御の両方が行われる平衡伝送システムの構成について説明する。
【０１９８】
図２３は本発明の実施の形態８における平衡伝送システムの構成図である。
【０１９９】
図２３には、帯域分割部７０と制御帯域選択部７１が設けられた管理装置３０により、送信機１０の送信出力と、受信機２０の入力平衡度のそれぞれが制御される構成が表されている。帯域分割部７０で分割された複数の分割帯域の中から、制御帯域が制御帯域選択部７１で選択され、選択された制御帯域の制御情報に従って、送信機１０では送信出力が、受信機２０では入力平衡度がそれぞれ制御される。なお、制御帯域は、送信側と受信側で別個とされてもよい。また、システム制御部３２が作成する制御情報は、送信機１０で用いられるものと受信機２０で用いられるものとで個別に作成されてもよい。また、送信出力の制御は送信制御部１１により行われ、入力平衡度の制御は受信制御部２１で行われればよい。
【０２００】
なお、帯域分割部７０と制御帯域選択部７１は送信機１０の送信出力制御と、受信機２０の入力平衡度制御の両方に共通して用いられてもよく、個別に用いられてもよい。また、帯域分割部７０と制御帯域選択部７１は管理装置３０に備えられてもよく、独立して設けられてもよく、送信機１０と受信機２０のそれぞれに個別に設けられてもよい。
【０２０１】
このように、実施の形態８における平衡伝送システムは、送信機１０の送信平衡度情報と受信機２０の入力平衡度情報の少なくとも一つを基に、管理装置３０が制御情報を作成して、この制御情報に従って、送信機１０の送信出力、及び受信機２０の入力平衡度の少なくとも一方が適切に制御される。さらに、伝送される信号に用いられる周波数帯域の一部、あるいは分割された複数の分割帯域毎の平衡度情報に応じた精細な制御が行われる。この結果、帯域によって異なる平衡度に応じた、より精細なＥＭＣ対策と入力平衡度対策とが実現される。
【０２０２】
なお、実施の形態１から実施の形態８までにおいて、送信平衡度情報は送信機１０、及び送信監視部１２、及び管理装置３０の少なくとも一つが検出すればよく、受信平衡度情報は、受信機２０、及び受信監視部２２、及び管理装置３０の少なくとも一つが検出すればよい。また、送信出力の制御は、送信機１０、及び送信制御部１１、及び管理装置３０の少なくとも一つが行えばよく、入力平衡度の制御は、受信機２０、及び受信制御部２１、及び管理装置３０の少なくとも一つが行えばよい。
【産業上の利用可能性】
【０２０３】
本発明に係わる平衡伝送システムは、例えば、電力線平衡伝送路を用いた電力線通信等、平衡伝送通信とその応用分野において利用できる。
【図面の簡単な説明】
【０２０４】
【図１】本発明の実施の形態１における平衡伝送システムの構成図
【図２】本発明の実施の形態２における平衡伝送システムの構成図
【図３】本発明の実施の形態３における平衡伝送システムの構成図
【図４】本発明の実施の形態４における平衡伝送システムの構成図
【図５】本発明の実施の形態５における平衡伝送システムの構成図
【図６】本発明の実施の形態６における平衡伝送システムの構成図
【図７】本発明の実施の形態７における平衡伝送システムの構成図
【図８】本発明の実施の形態２の簡略化した平衡伝送システムの構成図
【図９】本発明の実施の形態４の簡略化した平衡伝送システムの構成図
【図１０】従来技術による平衡伝送システムの概略図
【図１１】本発明の実施の形態８における平衡伝送システムの構成図
【図１２】本発明の実施の形態８における平衡伝送システムが処理する信号の周波数特性図
【図１３】本発明の実施の形態８における平衡伝送システムが処理する信号の周波数特性図
【図１４】本発明の実施の形態８における平衡伝送システムの構成図
【図１５】本発明の実施の形態８における平衡伝送システムの構成図
【図１６】本発明の実施の形態８における平衡伝送システムの構成図
【図１７】本発明の実施の形態８における平衡伝送システムの構成図
【図１８】本発明の実施の形態８における制御帯域選択部の内部構成図
【図１９】本発明の実施の形態８における制御帯域の選択を表す信号周波数特性図
【図２０】本発明の実施の形態８における平衡伝送システムの構成図
【図２１】本発明の実施の形態８における平衡伝送システムの構成図
【図２２】本発明の実施の形態８における平衡伝送システムの構成図
【図２３】本発明の実施の形態８における平衡伝送システムの構成図
【符号の説明】
【０２０５】
１、１０ 送信機
２、２０ａ、２０ｎ 受信機
３、４、４１、４２ 線路
１１ 送信制御部
１２ 送信監視部
２１ａ、２１ｎ 受信制御部
２２ａ、２２ｎ 受信監視部
３０ 管理装置
３１ システム管理部
３２ システム制御部
５１ 送信側通信路
５２ 受信側通信路
７０ 帯域分割部
７１ 制御帯域選択部
【図１】
0004843217.tif 000002
【図２】
0004843217.tif 000003
【図３】
0004843217.tif 000004
【図４】
0004843217.tif 000005
【図５】
0004843217.tif 000006
【図６】
0004843217.tif 000007
【図７】
0004843217.tif 000008
【図８】
0004843217.tif 000009
【図９】
0004843217.tif 000010
【図１０】
0004843217.tif 000011
【図１１】
0004843217.tif 000012
【図１２】
0004843217.tif 000013
【図１３】
0004843217.tif 000014
【図１４】
0004843217.tif 000015
【図１５】
0004843217.tif 000016
【図１６】
0004843217.tif 000017
【図１７】
0004843217.tif 000018
【図１８】
0004843217.tif 000019
【図１９】
0004843217.tif 000020
【図２０】
0004843217.tif 000021
【図２１】
0004843217.tif 000022
【図２２】
0004843217.tif 000023
【図２３】
0004843217.tif 000024